(57)【要約】【課題】  高所からの落下などによる強い衝撃を受けても、その衝撃を良好に吸収することができる腕時計を提供する。【解決手段】  軟質樹脂製の衝撃吸収部材２が、腕時計ケース１を囲んで腕時計ケース１の上面よりも突出する周側部１５、および腕時計ケース１の裏面に取り付けられた裏蓋７が取り付けられる底部１６を有し、周側部１５に時計バンド１０が挿入されるバンド孔１８およびスイッチ部１２が対応するスイッチ操作孔１９を設けた構成になっている。従って、衝撃吸収部材２の周側部１５の上端面１５ａが高所からの落下などによる強い衝撃を受けると、周側部１５が弾性変形して衝撃を吸収することができる。このため、高所からの落下などによる強い衝撃を受けても、その衝撃を良好に吸収することができる。【選択図】        図５
2011196913.tif 000002
【特許請求の範囲】
【請求項１】
側部に操作部材が設けられた腕時計ケースと、
この腕時計ケースの裏面に取り付けられた裏蓋と、
前記腕時計ケースの側部に取り付けられたバンドと、
前記腕時計ケースを囲み前記腕時計ケースの上面よりも突出する周側部、および前記裏蓋が取り付けられる底部を有し、前記周側部に前記バンドが挿入されるバンド孔および前記操作部材が対応する操作孔が設けられた軟質樹脂製の衝撃吸収部材と、
を備えていることを特徴とする腕時計。
【請求項２】
前記裏蓋を前記腕時計ケースに取り付けるためのねじ部材を有し、このねじ部材によって前記裏蓋が前記腕時計ケースと共に前記衝撃吸収部材の前記底部に固定されていることを特徴とする請求項１に記載の腕時計。
【請求項３】
前記衝撃吸収部材の前記底部には、前記腕時計ケースと前記裏蓋との間に挟まれる蓋固定部が設けられ、この蓋固定部によって前記裏蓋が前記腕時計ケースと共に前記衝撃吸収部材の前記底部に固定されていることを特徴とする請求項１に記載の腕時計。
【発明の詳細な説明】
【技術分野】
【０００１】
この発明は、耐衝撃構造の腕時計に関する。
【背景技術】
【０００２】
従来、腕時計においては、特許文献１に記載されているように、腕時計ケースの外表面を弾性ゴム部材で被覆し、この弾性ゴム部材によって落下などの衝撃を吸収するように構成されたものが知られている。
【先行技術文献】
【特許文献】
【０００３】
【特許文献１】実開昭６３−４４７８４号公報
【０００４】
この種の腕時計は、腕時計ケースの外表面を弾性ゴム部材で被覆すると共に、この腕時計ケースの側部に設けられたスイッチ部の外部に突出する突出部を弾性ゴム部材に設けられた孔部に係合させることにより、弾性ゴム部材を腕時計ケースに取り付けるように構成されている。
【発明の概要】
【発明が解決しようとする課題】
【０００５】
しかしながら、このような従来の腕時計では、卓上から床までなどの高さ（例えば２〜３ｍ程度の高さ）で落下した際に、腕時計ケースの外表面に被覆された弾性ゴム部材がその弾性変形によって衝撃を吸収することができても、ビルなどの高所（例えば１０ｍ程度の高さ）から落下して地面などに衝突した際に、強い衝撃が加わると、その衝撃を弾性ゴム部材によって吸収しきれず、腕時計ケースが衝撃を受けて時計ガラスや内部の部品が破損するという問題がある。
【０００６】
この発明が解決しようとする課題は、高所からの落下などによる強い衝撃を受けても、その衝撃を良好に吸収することができる腕時計を提供することである。
【課題を解決するための手段】
【０００７】
この発明は、上記課題を解決するために、次のような構成要素を備えている。
請求項１に記載の発明は、側部に操作部材が設けられた腕時計ケースと、この腕時計ケースの裏面に取り付けられた裏蓋と、前記腕時計ケースの側部に取り付けられたバンドと、前記腕時計ケースを囲み前記腕時計ケースの上面よりも突出する周側部、および前記裏蓋が取り付けられる底部を有し、前記周側部に前記バンドが挿入されるバンド孔および前記操作部材が対応する操作孔が設けられた軟質樹脂製の衝撃吸収部材と、を備えていることを特徴とする腕時計である。
【０００８】
請求項２に記載の発明は、前記裏蓋を前記腕時計ケースに取り付けるためのねじ部材を有し、このねじ部材によって前記裏蓋が前記腕時計ケースと共に前記衝撃吸収部材の前記底部に固定されていることを特徴とする請求項１に記載の腕時計である。
【０００９】
請求項３に記載の発明は、前記衝撃吸収部材の前記底部に、前記腕時計ケースと前記裏蓋との間に挟まれる蓋固定部が設けられ、この蓋固定部によって前記裏蓋が前記腕時計ケースと共に前記衝撃吸収部材の前記底部に固定されていることを特徴とする請求項１に記載の腕時計である。
【発明の効果】
【００１０】
この発明によれば、腕時計ケースの上面よりも突出した軟質樹脂製の衝撃吸収部材における周側部の先端部分が高所からの落下などによる強い衝撃を受けると、衝撃吸収部材の周側部が弾性変形して衝撃を吸収することができる。このため、高所からの落下などによる強い衝撃を受けても、その衝撃を良好に且つ確実に吸収することができ、これにより腕時計ケースの破損を防ぐことができる。
【図面の簡単な説明】
【００１１】
【図１】この発明を適用した腕時計の実施形態１を示した斜視図である。
【図２】図１に示された腕時計を上方から見た拡大平面図である。
【図３】図１に示された腕時計を下方から見た拡大裏面図である。
【図４】図３に示された腕時計のＡ−Ａ矢視における拡大断面図である。
【図５】図１に示された腕時計を分解して示した拡大斜視図である。
【図６】図１に示された腕時計を高所から落下させた際における落下途中の状態を示した拡大斜視図である。
【図７】図６に示された腕時計が地面などに衝突した状態を示した拡大斜視図である。
【図８】この発明を適用した腕時計の実施形態２を示した斜視図である。
【図９】図８に示された腕時計を下方から見た拡大裏面図である。
【図１０】図９に示された腕時計のＢ−Ｂ矢視における拡大断面図である。
【図１１】図８に示された腕時計を分解して示した拡大斜視図である。
【図１２】図９に示された腕時計のＣ−Ｃ矢視における拡大断面図である。
【発明を実施するための形態】
【００１２】
（実施形態１）
以下、図１〜図７を参照して、この発明を適用した腕時計の実施形態１について説明する。
この腕時計は、図１〜図３に示すように、腕時計ケース１と、この腕時計ケース１を囲う衝撃吸収部材２とを備えている。腕時計ケース１は、図４に示すように、ケース本体３と、このケース本体３の外表面を覆うベゼル４とで構成されている。
【００１３】
ケース本体３の上部開口部には、図４に示すように、時計ガラス５がパッキン５ａを介して取り付けられている。このケース本体３の外表面を覆うベゼル４は、軟質の合成樹脂からなり、その上部における内周縁が時計ガラス５の外周端部に位置する上面を覆った状態で、ケース本体３の外表面に設けられている。
【００１４】
また、このケース本体３の内部には、図４に示すように、時計モジュール６が設けられている。この時計モジュール６は、図示しないが、指針を運針させて時刻を指示する時計ムーブメントや、時刻などの情報を電気光学的に表示する平面型の表示パネルなどの時計機能に必要な各種の部品を備えている。さらに、このケース本体３の下部には、裏蓋７が防水リング７ａを介して後述するねじ部材８によって取り付けられている。
【００１５】
また、この腕時計ケース１における１２時と６時とに対応する側部には、図１〜図５に示すように、時計バンド１０がそれぞれ取り付けられている。すなわち、腕時計ケース１における１２時と６時とに位置する各側部には、図４および図５に示すように、バンド取付部１１がそれぞれ突出して設けられている。時計バンド１０は、その各端部に設けられた取付部１０ａが腕時計ケース１の各バンド取付部１１にそれぞれ取り付けられるように構成されている。
【００１６】
さらに、この腕時計ケース１における２時、４時、８時１０時に対応する各側部には、図１〜図５に示すように、複数のスイッチ釦１２がそれぞれ設けられている。この場合、腕時計ケース１における２時、４時、８時１０時に対応する各側部には、図３および図５に示すように、それぞれ半円弧形状の切欠き凹部１３が設けられている。これにより、複数のスイッチ釦１２は、腕時計ケース１の各切欠き凹部１３内にそれぞれ配置されて外部に露出している。
【００１７】
ところで、衝撃吸収部材２は、熱可塑性ポリウレタン樹脂などの軟質合成樹脂からなり、図１〜図５に示すように、腕時計ケース１を囲う周側部１５と、裏蓋７が取り付けられる底部１６とを備えている。この衝撃吸収部材２の周側部１５は、図１および図５に示すように、腕時計ケース１の外形に対応する八角形などの多角形や円形などのほぼ筒形状に形成されている。
【００１８】
この周側部１５は、図１および図４に示すように、その高さが腕時計ケース１の厚みよりも高く形成され、これにより周側部１５の上端面１５ａが腕時計ケース１の上方に突出するように構成されている。また、この衝撃吸収部材２の底部１６には、図３〜図５に示すように、裏蓋７が配置される蓋装着凹部１６ａが設けられていると共に、裏蓋７を腕時計ケース１と共に蓋装着凹部１６ａに取り付けるためのねじ部材８が挿入する複数のねじ挿入孔１７が設けられている。
【００１９】
すなわち、複数のねじ挿入孔１７は、図４および図５に示すように、裏蓋７の四隅に設けられた取付孔７ｂに対応する底部１６の四隅に設けられている。この場合、ねじ挿入孔１７は、図４に示すように、段差を有する貫通孔であり、その下部が大径部１７ａに形成され、上部が小径部１７ｂに形成されている。また、ねじ部材８は、図４および図５に示すように、頭部８ａと、この頭部８ａよりも小径の首部８ｂと、この首部８ｂよりも更に小径のねじ部８ｃとを有する段付ねじである。
【００２０】
このねじ部材８は、図４に示すように、衝撃吸収部材２の底部１６の下側からねじ挿入孔１７に挿入された際に、頭部８ａが底部１６のねじ挿入孔１７における下部の大径部１７ａ内に配置され、首部８ｂがねじ挿入孔１７の上部の小径部１７ｂ内に配置され、ねじ部８ｃが裏蓋７の取付孔７ｂを通してケース本体３のねじ孔３ａに螺入するように構成されている。
【００２１】
これにより、ねじ部材８は、図４に示すように、ねじ部８ｃがケース本体３のねじ孔３ａに螺入して締め付けられると、頭部ａが衝撃吸収部材２の底部１６を裏蓋７に押し付けると共に、首部８ｂが裏蓋７を腕時計ケース１の下面に押し付けることにより、裏蓋７を腕時計ケース１に固定し、この裏蓋７と共に腕時計ケース１を衝撃吸収部材２の底部１６に固定するように構成されている。
【００２２】
また、この衝撃吸収部材２の周側部１５には、図１〜図５に示すように、時計バンド１０が挿通されるバンド孔１８が、腕時計ケース１の１２時と６時との２箇所にそれぞれ対応して設けられている。すなわち、このバンド孔１８は、図１および図５に示すように、時計バンド１０の端部における取付部１０ａの断面形状とほぼ同じ横長の長方形状をなし、衝撃吸収部材２の周側部１５における上端面１５ａの下側に位置する箇所、つまり腕時計ケース１のバンド取付部１１に対応する箇所から底部１６に亘って形成されている。
【００２３】
さらに、この衝撃吸収部材２の周側部１５には、図１〜図５に示すように、複数のスイッチ釦１２に対応するスイッチ操作孔１９が、腕時計ケース１の２時、４時、８時、１０時の４箇所にそれぞれ対応して設けられている。このスイッチ操作孔１９は、図１〜図５に示すように、スイッチ部１２が位置する腕時計ケース１の側部に設けられた半円弧形状の切欠き凹部１３とほぼ同じ大きさで、且つスイッチ部１２の外径よりも十分に大きく形成されている。
【００２４】
すなわち、このスイッチ挿入孔１９は、図１〜図５に示すように、腕時計ケース１の各切欠き凹部１３に対応する箇所で、且つ衝撃吸収部材２の周側部１５における上端面１５ａの下側に位置する箇所から底部１６に亘って形成されている。これにより、複数のスイッチ部１２は、スイッチ操作孔１９を通して衝撃吸収部材２の外部からスイッチ操作が可能な状態になっている。
【００２５】
ところで、衝撃吸収部材２は、図５に示すように、周側部１５の上端面１５ａが腕時計ケース１の上方に突出して円周方向に連続していることにより、周側部１５の上部がほぼリング形状のバンパ部２０をなすように形成され、このバンパ部２０によって周側部１５が内側に向けて倒れ込むのを防ぐように構成されている。
【００２６】
また、この衝撃吸収部材２は、図５に示すように、周側部１５に２つのバンド孔１８および４つのスイッチ操作孔１９が設けられていることにより、周側部１５が複数のリブ部２１を有するように形成され、周側部１５の上端面１５ａつまりバンパ部２０の先端面である上端面１５ａに大きな負荷が加わると、図７に示すように、周側部１５の各リブ部２１が外側に向けて凸形状（ビヤ樽形状）に湾曲して弾性変形するように構成されている。
【００２７】
次に、この腕時計を組み立てる場合について説明する。
この場合には、まず、図４および図５に示すように、腕時計ケース１を組み立てる。このときには、腕時計ケース１におけるケース本体３の上部開口部に時計ガラス５を装着して、このケース本体３の外表面にベゼル４を取り付け、このケース本体３内に時計モジュール６を組み込む。
【００２８】
この後、図５に示すように、腕時計ケース１の下面に裏蓋７を配置した状態で、図１および図４に示すように、腕時計ケース１および裏蓋７を衝撃吸収部材２の周側部１５内に配置する。このときには、図５に示すように、腕時計ケース１の１２時と６時とに位置する各バンド取付部１１を衝撃吸収部材２の周側部１５における各バンド孔１８に対応させると共に、腕時計ケース１の２時、４時、８時、１０時に位置する複数のスイッチ釦１２を衝撃吸収部材２の周側部１５における各スイッチ操作孔１９にそれぞれ対応させる。
【００２９】
また、このときには、図４および図５に示すように、裏蓋７を衝撃吸収部材２の底部１６に設けられた蓋装着凹部１６ａに装着させると共に、裏蓋７の取付孔７ｂを衝撃吸収部材２の底部１６に設けられたねじ挿入孔１７に対応させる。この状態で、図４に示すように、複数のねじ部材８によって裏蓋７を腕時計ケース１と共に衝撃吸収部材２の底部１６に取り付ける。
【００３０】
すなわち、図４に示すように、ねじ部材８を衝撃吸収部材２の底部１６の下側からねじ挿入孔１７に挿入する。そして、頭部８ａを底部１６のねじ挿入孔１７における下部の大径部１７ａ内に挿入させ、首部８ｂをねじ挿入孔１７の上部の小径部１７ｂ内に挿入させ、ねじ部８ｃを裏蓋７の取付孔７ｂに挿入させると共にケース本体３のねじ孔３ａに螺入させる。
【００３１】
この状態で、ねじ部材８の頭部８ａを締め付けて、ねじ部８ｃをケース本体３のねじ孔３ａに螺着する。すると、頭部ａが衝撃吸収部材２の底部１６を裏蓋７に押し付けると共に、首部８ｂが裏蓋７を腕時計ケース１の下面に押し付ける。これにより、図４に示すように、複数のねじ部材８によって裏蓋７が腕時計ケース１に固定され、この裏蓋７と共に腕時計ケース１が衝撃吸収部材２の底部１６に固定される。
【００３２】
そして、図１および図５に示すように、時計バンド１０を衝撃吸収部材２の周側部１５のバンド孔１８を通して腕時計ケース１に取り付ける。すなわち、時計バンド１０の端部の取付部１０ａを衝撃吸収部材２の周側部１５のバンド孔１８に挿入し、この時計バンド１０の取付部１０ａを腕時計ケース１のバンド取付部１１に対応させ、この状態で図４に示すように、腕時計ケース１のバンド取付部１１に時計バンド１０の取付部１０ａを取り付ける。
【００３３】
これにより、腕時計ケース１のバンド取付部１１に取り付けられた時計バンド１０は、図１〜図４に示すように、衝撃吸収部材２の周側部１５のバンド孔１８を通して周側部１５の外部に延出されている。また、この腕時計ケース１は、図１および図２に示すように、裏蓋７と共に衝撃吸収部材２の周側部１５内に沈み込んだ状態で固定される。
【００３４】
すなわち、衝撃吸収部材２の周側部１５における上部のバンパ部２０の上端面１５ａは、図１および図４に示すように、腕時計ケース１が衝撃吸収部材２の周側部１５内に固定された際に、腕時計ケース１の上面よりも上方に突出している。また、複数のスイッチ釦１２は、図１に示すように、衝撃吸収部材２の周側部１５の各スイッチ操作孔１９にそれぞれ対応して外部に露出し、衝撃吸収部材２の外部からスイッチ操作が可能な状態になっている。
【００３５】
次に、このような腕時計の作用について説明する。
通常は、時計バンド１０によって腕時計ケース１を衝撃吸収部材２と共に腕に取り付けて使用する。この状態では、図１および図２に示すように、衝撃吸収部材２の周側部１５の上方から腕時計ケース１の時計ガラス５を通して時刻などの情報を見ることができる。また、衝撃吸収部材２の周側部１５に設けられた複数のスイッチ操作孔１９を通して複数のスイッチ釦１２を操作することができる。
【００３６】
また、この腕時計を誤ってビルなどの高所（例えば、地上から１０ｍ程度の高さ）から落下させた際には、図６に示すように、時計バンド１０が空気抵抗を受けることにより、腕時計ケース１が時計ガラス５を下に向けると共に裏蓋７を上に向けた状態で落下する。この状態で、図７に示すように、地面などに衝突すると、衝撃吸収部材２における腕時計ケース１の上面（図７では下面）よりも突出した周側部１５におけるバンパ部２０の上端面１５ａが強い衝撃を受ける。
【００３７】
このように、衝撃吸収部材２の周側部１５におけるバンパ部２０の上端面１５ａが衝撃を受けると、この衝撃によって衝撃吸収部材２の底部１６に裏蓋７を介して固定された腕時計ケース１に、落下に伴う重力によって強い慣性力が発生する。すなわち、腕時計ケース１は、衝撃吸収部材２の周側部１５におけるバンパ部２０の上端面１５ａが地面に衝突したときに、その衝撃吸収部材２の衝撃に伴って腕時計ケース１が急激に降下する強い慣性力が発生する。
【００３８】
このときには、腕時計ケース１が裏蓋２５と共にねじ部材８によって衝撃吸収部材２の底部１６に取り付けられて固定されていることにより、腕時計ケース１に発生した強い慣性力によって衝撃吸収部材２の底部１６が引き下げられる。このため、図７に示すように、衝撃吸収部材２の周側部１５が外側に向けて凸形状に湾曲するように弾性変形する。
【００３９】
すなわち、この衝撃吸収部材２は、熱可塑性ポリウレタンなどの軟質合成樹脂からなり、この衝撃吸収部材２の周側部１５には、時計バンド１０が挿入するバンド孔１８、および複数のスイッチ釦１２が対応する複数のスイッチ操作孔１９が設けられていることにより、衝撃吸収部材２の周側部１５が複数のリブ部２１を有する構成であるから、衝撃吸収部材２の衝撃に伴って腕時計ケース１に発生した強い慣性力によって衝撃吸収部材２の底部１６が引き下げられると、これに伴って衝撃吸収部材２の周側部１５が良好に弾性変形する。
【００４０】
このときには、衝撃吸収部材２の周側部１５におけるバンパ部２０の上端面１５ａが腕時計ケース１の上面（図７では下面）よりも突出しているので、衝撃吸収部材２の周側部１５が弾性変形しても、腕時計ケース１の上面（図７では下面）が接地して直接衝撃を受けることがない。このため、高所からの落下などによる強い衝撃を受けても、その衝撃を衝撃吸収部材２によって良好に且つ確実に吸収することができ、時計ガラス５や内部の時計モジュール６が破損するのを防ぐことができる。
【００４１】
この場合、衝撃吸収部材２の周側部１５は、その上端面１５ａが腕時計ケース１の上方に突出して円周方向に連続していることにより、周側部１５の上部がバンパ部２０として形成されていることにより、このバンパ部２０によって衝撃吸収部材２の周側部１５が内側に向けて倒れ込むのを防ぐことができる。このため、落下などによる強い衝撃を受けて周側部１５が弾性変形する際に、その周側部１５を外側に向けて良好に弾性変形させることができ、これにより周側部１５の弾性変形によって腕時計ケース１が破損しないようにすることができる。
【００４２】
また、この腕時計は、高所からの落下に限らず、例えば腕時計ケース１の時計ガラス５を上に向けた状態で、その上方における高所から物体が落下して衝撃吸収部材２の周側部１５の上端部１５ａに衝突した際にも、その衝撃によって衝撃吸収部材２の周側部１５が弾性変形することにより、衝撃を良好に吸収することができるので、これによっても腕時計ケース１の破損を防ぐことができる。
【００４３】
この場合にも、衝撃吸収部材２の周側部１５におけるバンパ部２０の上端面１５ａが腕時計ケース１の上面よりも突出しているので、衝撃吸収部材２の周側部１５が弾性変形しても、高所から落下した物体が腕時計ケース１の上面に衝突することがない。このため、高所から落下した物体によって強い衝撃を受けても、その衝撃を衝撃吸収部材２によって良好に且つ確実に吸収することができ、これにより時計ガラス５や内部の時計モジュール６が破損するのを防ぐことができる。
【００４４】
このように、この腕時計によれば、軟質樹脂製の衝撃吸収部材２が、腕時計ケース１を囲んで腕時計ケース１の上面よりも突出する周側部１５、および腕時計ケース１の裏面の裏蓋７が取り付けられる底部１６を有し、周側部１５に時計バンド１０が挿入されるバンド孔１８およびスイッチ部１２が対応するスイッチ操作孔１９を設けた構成であるから、衝撃吸収部材２の周側部１５の上端面１５ａが高所からの落下などによる強い衝撃を受けると、周側部１５が弾性変形して衝撃を吸収することができる。このため、高所からの落下などによる強い衝撃を受けても、その衝撃を良好に吸収して腕時計ケース１の破損を防ぐことができる。
【００４５】
すなわち、この腕時計によれば、腕時計ケース１を高所から落下させた際に、その落下途中で腕時計ケース１が裏蓋７を上に向けて落下し、この状態で地面に衝突すると、軟質樹脂製の衝撃吸収部材２における腕時計ケース１の上面よりも突出した周側部１５の上端面１５ａが強い衝撃を受け、この衝撃によって衝撃吸収部材２の底部１６に裏蓋７を介して固定された腕時計ケース１に強い慣性力が発生し、この腕時計ケース１の強い慣性力によって衝撃吸収部材２の底部１６が引き下げられることにより、衝撃吸収部材２の周側部１５を弾性変形させることができ、これにより高所からの落下などによる強い衝撃を受けても、その衝撃を衝撃吸収部材２の周側部１５によって良好に且つ確実に吸収することができる。
【００４６】
この場合、裏蓋７を腕時計ケース１に取り付けるためのねじ部材８を有し、このねじ部材８によって裏蓋７を腕時計ケース１と共に衝撃吸収部材２の底部１６に固定しているので、衝撃吸収部材２の周側部１５における上端面１５ａが落下による強い衝撃を受けて、腕時計ケース１に強い慣性力が発生した際に、その腕時計ケース１の強い慣性力によって衝撃吸収部材２の底部１６を引き下げることができる。このため、衝撃に伴う腕時計ケース１の強い慣性力を確実に衝撃吸収部材２の周側部１５に伝えることができ、これにより衝撃吸収部材２の周側部１５を確実に且つ良好に弾性変形させることができる。
【００４７】
また、この衝撃吸収部材２の周側部１５には、時計バンド１０が挿入するバンド孔１８、および複数のスイッチ釦１２が対応する複数のスイッチ操作孔１９が設けられていることにより、周側部１５が複数のリブ部２１を有する構成であるから、落下による衝撃によって腕時計ケース１に発生した強い慣性力が衝撃吸収部材２の周側部１５に伝わった際に、衝撃に伴う腕時計ケース１の慣性力に応じて衝撃吸収部材２の周側部１５を良好に弾性変形させることができる。
【００４８】
この場合、衝撃吸収部材２の周側部１５は、その上端面１５ａが腕時計ケース１の上方に突出して円周方向に連続していることにより、周側部１５の上部がバンパ部２０として形成されているので、このバンパ部２０によって衝撃吸収部材２の周側部１５の内側への倒れ込みを防ぐことができる。このため、衝撃吸収部材２の周側部１５が落下などによる衝撃を受けた際に、周側部１５を外側に向けて良好に弾性変形させることができるので、周側部１５の弾性変形による腕時計ケース１が破損するのを防ぐことができる。
【００４９】
（実施形態２）
次に、図８〜図１２を参照して、この発明を適用した腕時計の実施形態２について説明する。なお、図１〜図７に示された実施形態１と同一部分には同一符号を付して説明する。
この腕時計は、図９、図１１および図１２に示すように、腕時計ケース１の下部に裏蓋２５が螺着によって取り付けられ、これに伴って衝撃吸収部材２の底部１６に裏蓋２５を固定するための蓋固定部２６を設けた構成であり、これ以外は実施形態１とほぼ同じ構成になっている。
【００５０】
すなわち、裏蓋２５は、図１１に示すように、ほぼ円形の平板状に形成されており、この裏蓋２５の上面には、図１０〜図１２に示すように、腕時計ケース１の下部開口部２８に挿入するリング部２７が形成されている。このリング部２の外周面には、図１１に示すように、雄ねじ２７ａが設けられている。また、腕時計ケース１の下部開口部２８の内周面には、図１０に示すように、リング部２７の雄ねじ２７ａが螺合する雌ねじ２８ａが設けられている。
【００５１】
これにより、裏蓋２５は、図１０および図１２に示すように、腕時計ケース１の下側からリング部２７を腕時計ケース１の下部開口部２８に挿入させながら、裏蓋２５を回転させることにより、リング部２７の雄ねじ２７ａが腕時計ケース１の下部開口部２８における内周面の雌ねじ２８ａに螺合し、これにより腕時計ケース１の下部に取り付けられるように構成されている。
【００５２】
また、裏蓋２５の外周部には、図１０〜図１２に示すように、裏蓋２５の外周に沿って連続するリング状の鍔状突起部２９が突出して形成されている。この鍔状突起部２９は、図１０および図１２に示すように、裏蓋２５が腕時計ケース１の下部に取り付けられた際に、腕時計ケース１の外周部における下面との間に隙間３０（図１２参照）を形成するように構成されている。
【００５３】
一方、衝撃吸収部材２の底部１６には、図９、図１１および図１２に示すように、裏蓋２５を固定するための蓋固定部２６が設けられている。この蓋固定部２６は、衝撃吸収部材２の底部１６における３時と９時とに位置する箇所に上下に貫通して設けられたほぼ三日月形状の開口部３１を有し、この開口部３１の内周面における上縁部に係合突起部３２が設けられた構成になっている。
【００５４】
これにより、蓋固定部２６は、図９〜図１２に示すように、腕時計ケース１の下部に取り付けられた裏蓋２５が衝撃吸収部材２の底部１６に配置されて押し付けられた際に、図１２に示すように、開口部３１の内周面における上縁部に設けられた係合突起部３２が、裏蓋２５の鍔状突起部２９と腕時計ケース１の外周部における下面との間に形成された隙間３０に挿入して嵌着することにより、裏蓋２５を腕時計ケース１と共に衝撃吸収部材２の底部１６に固定するように構成されている。
【００５５】
次に、このような腕時計の作用について説明する。
この腕時計においても、通常の状態では、実施形態１と同様、時計バンド１０によって腕時計ケース１を衝撃吸収部材２と共に腕に取り付けて使用する。この状態においても、実施形態１と同様、衝撃吸収部材２の周側部１５の上方から腕時計ケース１の時計ガラス５を通して時刻などの情報を見ることができる。また、衝撃吸収部材２の周側部１５に設けられた複数のスイッチ操作孔１９を通して複数のスイッチ釦１２を操作することができる。
【００５６】
また、この腕時計を誤ってビルなどの高所（例えば、地上から１０ｍ程度の高さ）から落下させた際には、実施形態１と同様、時計バンド１０が空気抵抗を受けることにより、腕時計ケース１が時計ガラス５を下に向けると共に裏蓋２５を上に向けた状態で落下する。この状態で、地面などに衝突すると、衝撃吸収部材２における腕時計ケース１の上面よりも突出した周側部１５のバンパ部２０の上端面１５ａが強い衝撃を受ける。
【００５７】
このように、衝撃吸収部材２の周側部１５におけるバンパ部２０の上端面１５ａが衝撃を受けると、この衝撃によって衝撃吸収部材２の底部１６に裏蓋２５と共に固定された腕時計ケース１に、実施形態１と同様、落下に伴う重力によって強い慣性力が発生する。このときには、衝撃吸収部材２の底部１６に設けられた蓋固定部２６によって、腕時計ケース１が裏蓋２５と共に衝撃吸収部材２の底部１６に固定されていることにより、腕時計ケース１に発生した強い慣性力によって衝撃吸収部材２の底部１６が引き下げられる。このため、図７に示したように、衝撃吸収部材２の周側部１５が外側に向けて凸形状に湾曲するように弾性変形する。
【００５８】
このときにも、衝撃吸収部材２の周側部１５におけるバンパ部２０の上端面１５ａが腕時計ケース１の上面よりも突出しているので、実施形態１と同様、衝撃吸収部材２の周側部１５が弾性変形しても、腕時計ケース１の上面（図７では下面）が接地して直接衝撃を受けることがない。このため、高所からの落下などの強い衝撃を受けても、その衝撃を良好に且つ確実に吸収することができ、これにより時計ガラス５や内部の時計モジュール６が破損するのを防ぐことができる。
【００５９】
また、この腕時計においても、高所からの落下に限らず、例えば腕時計ケース１の時計ガラス５を上に向けた状態で、その上方における高所から物体が落下して衝撃吸収部材２の周側部１５の上端部１５ａに衝突した際にも、その衝撃によって衝撃吸収部材２の周側部１５が弾性変形することにより、衝撃を良好に吸収することができるので、これによっても腕時計ケース１の破損を防ぐことができる。
【００６０】
この場合にも、衝撃吸収部材２の周側部１５におけるバンパ部２０の上端面１５ａが腕時計ケース１の上面よりも突出しているので、衝撃吸収部材２の周側部１５が弾性変形しても、高所から落下した物体が腕時計ケース１の上面に衝突することがない。このため、高所から落下した物体によって強い衝撃を受けても、その衝撃を衝撃吸収部材２によって良好に且つ確実に吸収することができ、これにより時計ガラス５や内部の時計モジュール６が破損するのを防ぐことができる。
【００６１】
このように、この腕時計においても、実施形態１と同様、軟質樹脂製の衝撃吸収部材２が、腕時計ケース１を囲んで腕時計ケース１の上面よりも突出する周側部１５、および腕時計ケース１の裏面の裏蓋２５が取り付けられる底部１６を有し、周側部１５に時計バンド１０が挿入されるバンド孔１８およびスイッチ部１２が対応するスイッチ操作孔１９を設けた構成であるから、衝撃吸収部材２の周側部１５の上端面１５ａが高所からの落下などによる強い衝撃を受けると、周側部１５が弾性変形して衝撃を吸収することができる。このため、高所からの落下などによる強い衝撃を受けても、その衝撃を良好に吸収して腕時計ケース１の破損を防ぐことができる。
【００６２】
すなわち、この腕時計においても、実施形態１と同様、腕時計ケース１を高所から落下させた際に、その落下途中で腕時計ケース１が裏蓋２５を上に向けて落下し、この状態で地面に衝突すると、軟質樹脂製の衝撃吸収部材２における腕時計ケース１の上面よりも突出した周側部１５の上端面１５ａが強い衝撃を受け、この衝撃によって衝撃吸収部材２の底部１６に裏蓋２５を介して固定された腕時計ケース１に強い慣性力が発生し、この腕時計ケース１の強い慣性力によって衝撃吸収部材２の底部１６が引き下げられることにより、衝撃吸収部材２の周側部１５を弾性変形させることができ、これにより高所からの落下などによる強い衝撃を受けても、その衝撃を衝撃吸収部材２の周側部１５によって良好に且つ確実に吸収することができる。
【００６３】
この場合、衝撃吸収部材２の底部１６には、腕時計ケース１と裏蓋２５との間に挟まれる蓋固定部２６が設けられ、この蓋固定部２６によって裏蓋２５が腕時計ケース１と共に衝撃吸収部材２の底部１６に固定されているので、衝撃吸収部材２の周側部１５における上端面１５ａが落下による強い衝撃を受けて、腕時計ケース１に強い慣性力が発生した際に、その腕時計ケース１の強い慣性力によって衝撃吸収部材２の底部１６を引き下げることができ、これにより腕時計ケース１の衝撃に伴う強い慣性力を確実に衝撃吸収部材２の周側部１５に伝えることができるので、衝撃吸収部材２の周側部１５を確実に且つ良好に弾性変形させることができる。
【００６４】
すなわち、蓋固定部２６は、腕時計ケース１の下部に取り付けられた裏蓋２５が衝撃吸収部材２の底部１６に配置されて押し付けられた際に、開口部３１の内周面における上縁部に設けられた係合突起部３２が、裏蓋２５に設けられたリング状の鍔状突起部２９と腕時計ケース１の外周部における下面との間に形成された隙間３０に挿入して嵌着するので、裏蓋２５を腕時計ケース１と共に衝撃吸収部材２の底部１６に確実に固定することができる。このため、腕時計ケース１の強い慣性力によって衝撃吸収部材２の底部１６を引き下げることができる。
【００６５】
また、この腕時計においても、衝撃吸収部材２の周側部１５に、時計バンド１０が挿入するバンド孔１８、および複数のスイッチ釦１２が対応する複数のスイッチ操作孔１９が設けられていることにより、周側部１５が複数のリブ部２１を有する構成であるから、落下による衝撃によって腕時計ケース１に発生した強い慣性力が衝撃吸収部材２の周側部１５に伝わった際に、衝撃に伴う腕時計ケース１の慣性力に応じて衝撃吸収部材２の周側部１５を良好に弾性変形させることができる。
【００６６】
この場合にも、衝撃吸収部材２の周側部１５は、その上端面１５ａが腕時計ケース１の上方に突出して円周方向に連続していることにより、周側部１５の上部がバンパ部２０として形成されているので、このバンパ部２０によって衝撃吸収部材２の周側部１５の内側への倒れ込みを防ぐことができ、これにより周側部１５を外側に向けて良好に弾性変形させることができるので、周側部１５の弾性変形による腕時計ケース１が破損するのを防ぐことができる。
【符号の説明】
【００６７】
１  腕時計ケース
２  衝撃吸収部材
３  ケース本体
４  ベゼル
５  時計ガラス
６  時計モジュール
７、２５  裏蓋
８  ねじ部材
１０  時計バンド
１１  バンド取付部
１２  スイッチ釦
１５  周側部
１５ａ  上端面
１６  底部
１７  ねじ挿入孔
１８  バンド孔
１９  スイッチ操作孔
２０  バンパ部
２１  リブ部
２６  蓋固定部
２７  リング部
２７ａ  雄ねじ
２８  下部開口部
２８ａ  雌ねじ
２９  鍔状突起部
３０  隙間
３２  係合突起部
【図１】
2011196913.tif 000003
【図２】
2011196913.tif 000004
【図３】
2011196913.tif 000005
【図４】
2011196913.tif 000006
【図５】
2011196913.tif 000007
【図６】
2011196913.tif 000008
【図７】
2011196913.tif 000009
【図８】
2011196913.tif 000010
【図９】
2011196913.tif 000011
【図１０】
2011196913.tif 000012
【図１１】
2011196913.tif 000013
【図１２】
2011196913.tif 000014